(57)【要約】      （修正有）【課題】半綴環の合わせ目にカレンダーの重量が加わると、半綴環の突き合わせ端間にカレンダーが入り込んで脱落が生じるおそれがある等の問題を解消するカレンダー、ポスター等の吊り下げ具を提供する。【解決手段】中央部分を除いて所定間隔で複数の第１半綴環３を起立する細長い第１基板１と、中央部分を除いて前記所定間隔で複数の第２半綴環４を起立する第２基板２とよりなり、前記第１および第２基板を互いに組み合わせ、前記第１基板は、吊り下げ具の長手方向に沿った所定の間隔で長手方向を横断する貫通孔１３と前記第１半綴環側の外縁上面に複数の係止凹所を有し、前記第２基板は前記貫通孔に嵌合する複数のピンと綴環の閉鎖位置で前記凹所に嵌合する係止突起を有し、前記両基板の中央部には、前記基板の内一方の基板には前記半綴環が起立している側に起立する吊り手１０を設けた、カレンダー等の吊り下げ具。【選択図】図１
2005238649.tif 000002
【特許請求の範囲】
【請求項１】
中央部分を除いて所定間隔で複数の第１半綴環を起立する細長い第１基板と、中央部分を除いて前記所定間隔で複数の第２半綴環を起立する第２基板とよりなり、前記第１および第２基板を互いに組み合わせ、前記第１基板は、吊り下げ具の長手方向に沿った所定の間隔で長手方向を横断する貫通孔と前記第１半綴環側の外縁上面に複数の係止凹所を有し、前記第２基板は前記貫通孔に嵌合する複数のピンと綴環の閉鎖位置で前記凹所に嵌合する係止突起を有し、前記両基板の中央部において、前記両基板のうちの一方の基板に前記半綴環が起立している側に起立する吊り手を設けた、カレンダー等の吊り下げ具。
【請求項２】
前記両基板には基板に沿った補強板が一体に形成されている請求項１の吊り下げ具。
【請求項３】
前記吊り手には引っかけ穴が形成されている請求項１又は２の吊り下げ具。
【請求項４】
前記第１基板はその下部に水平な上面を有する底板を有し、前記第２基板は前記底板の上面に接触する底面を有している請求項１〜３のいずれか一項の吊り下げ具。
【請求項５】
前記第１又は第２基板の一端は互いに軸を用い又は用いないで枢着されている請求項１〜４のいずれか一項の吊り下げ具。
【請求項６】
前記第１又は第２基板の他端には前記両基板の対向する内面が切り欠かれており、綴環を解放するための手段を挿入できるようになっている請求項１〜５のいずれか一項の吊り下げ具。
【発明の詳細な説明】
【技術分野】
【０００１】
本発明は支持基板に一定間隔で複数の綴じ環を設け且つ中央部に吊り手を設けたカレンダー、ポスター等の印刷物、その他の紙製又はプラスチック製の掲示物等を吊すための吊り下げ具に関する。
【背景技術】
【０００２】
複数枚の印刷物例えばカレンダー等の吊り下げ具は、印刷物の上縁部を一定間隔で穿孔しコイル状ワイヤで綴り、吊り手を印刷物の上縁に穿孔するか、又は別個の吊り手を取り付ける。複数枚の印刷物の上縁をのり付け又はホッチキスで止め、その下側には切り取り用のミシン穴を開け、同様な吊り手を付ける。横棒に一定間隔でばねクリップを取り付け、それにカレンダー等を挟着する等の構造が知られている。
しかしながら、これらの吊り下げ具は印刷物の交換が出来なかったり、出来ても使用中の安定性が欠ける等の問題点が存在する。
【０００３】
一方、吊り下げ具ではないが、筆記用ノート又は印刷物等のルースリーフを綴じるための複数対の半綴環を設けた基板よりなる綴具が各種提案されているが、綴環を支持するために基板を厚くする必要があるために、コイルワイヤで綴じた形式のカレンダー等のように指標面側の紙葉を裏面までめくることが出来ない問題があった。
【０００４】
ところが、最近になって特許公開２００２−２８３７８２号公報において本発明者はこの問題を解決できるルースリーフ綴具を提供した。本発明はこの型の綴具を改良して吊り下げ具に適した形態としたものである。なお、この形式の綴具は吊り下げ具として応用された例は従来存在しない。
【特許文献１】特許公開２００２−２８３７８２号公報
【発明の開示】
【発明が解決しようとする課題】
【０００５】
綴環式吊り下げ具はカレンダー等をめくる際に邪魔にならないことが必要であるが、上記の各種吊り具のうち、コイルワイヤ式のものはその条件を満たすが、印刷物等の着脱が不可能であり、上縁を固定したものでは着脱も裏めくりも不可能である。
従って、本発明はこうした問題点を解決することを目的とする。
【０００６】
本発明者は特許文献１において、所定間隔で複数の第１半綴環を起立する細長い第１基板と、前記所定間隔で複数の第２半綴環を起立する第２基板とよりなり、前記第１および第２基板を互いに組み合わせ、前記第１基板はその長手方向に沿った所定の間隔で長手方向を横断する貫通孔と前記第１半綴環側の外縁上面に複数の係止凹所を有し、前記第２基板は前記貫通孔に嵌合する複数のピンと綴環の閉鎖位置で前記凹所に嵌合する係止突起を有するものとしたルースリーフ綴具を提供したが、本発明の課題に鑑み、同綴具をカレンダー等の吊り下げ具に応用することを試みた。しかし、単に上記の構造のままで基板に吊り手を付けただけでは綴じ込んだカレンダー等の重量のため綴環が下を向き、半綴環の突き合わせ端部の間に紙が挟まって綴環が無理に解放されるという問題が生じた。
【課題を解決するための手段】
【０００７】
これらの目的を達成するために本発明は、次のような構成の外付けタイプのカレンダー等の吊り下げ具を提供する。
即ち、本発明は、中央部分を除いて所定間隔で複数の第１半綴環を起立する細長い第１基板と、中央部分を除いて前記所定間隔で複数の第２半綴環を起立する第２基板とよりなり、前記第１および第２基板を互いに組み合わせ、前記第１基板は、吊り下げ具の長手方向に沿った所定の間隔で長手方向を横断する貫通孔と前記第１半綴環側の外縁上面に複数の係止凹所を有し、前記第２基板は前記貫通孔に嵌合する複数のピンと綴環の閉鎖位置で前記凹所に嵌合する係止突起を有し、前記両基板の中央部において、前記両基板のうちの一方の基板に前記半綴環が起立している側に起立する吊り手を設けた、カレンダー等の吊り下げ具を提供する。
【発明の効果】
【０００８】
この構成によると、基板は非常に狭いのでカレンダー等の裏めくりが可能となる。またピンと貫通孔とにより両基板の確実な結合が可能となり、又、それらによる案内と半綴環の精密な衝合が可能となるだけでなく、両基板の摩擦接触個所が少ないので両基板の組み立て及び解放が容易になる。又、係止凹所と係止突起が係止することで基板が固定され綴環をしっかりと閉鎖し保持することによりカレンダー等の外れを防止できる利点が得られるが、吊り手が綴環側に存在するので、吊す際に綴環が上を向くためにカレンダー等は綴環の基部に支持され、紙葉の咬み込みの問題が回避される。
【０００９】
本発明は、綴環の存在しない中央部分を基板に設け、この中央部分に吊り手を一体的に設けたことがポイントである。これにより基板はカレンダー等の重量のため綴環は下を向く傾向がでるが、吊り手は強制的に基板を下に綴環を上に位置させる作用を有する。
【発明を実施するための最良の形態】
【００１０】
吊り手の形状は任意であるが、釘穴を有するもの、吊り鈎を有するもの等が可能である。
好ましくは、第１基板はその下部に水平な上面を有する底板を有し、前記第２基板は前記底板の上面に接触支持される底面を有している。これにより両基板を組み立てる際にまず第１基板の底板の上面に第２基板の底面を載せることで両者の組み合わせを一層容易に実行できる。
【００１１】
好ましくは、第１又は第２基板の一方の基板の一端には基板を横断する方向に延びた鈎状の位置決め突起が設けられ、他方の基板には前記位置決め突起に衝合する先端を有する。これにより、両基板を組み立てる際に基板の縦方向の位置決めを容易になし得る。
【００１２】
好ましくは、第１又は第２基板の一方の基板の他端には前記両基板の対向する内面が切り欠かれており、綴環を解放するための手段を挿入できるようになっている。これにより、綴環を解放する場合に、硬貨等の道具をこれらの切り欠きにより形成される凹部に挿入して両基板の他端部を開き、次いで順次係止突起を係止凹所から外していき、両基板を離間させて両半綴環を解放することができる。
【００１３】
基板は非常に薄いために、綴じ込むカレンダー等の全重量がかかると変形する可能性がある場合には、少なくとも一方の基板に沿った補強板が一体に形成されることが好ましい。
【００１４】
なお、基板の開放を容易にするために前記第１又は第２基板の一端は互いに軸を用いて枢着してもよいし、実施例のように軸を使用しないで枢着されていてもよい。
【実施例】
【００１５】
以下本発明の好ましい実施例によるカレンダー等の吊り下げ具を図１〜６を参照して詳しく説明する。図１は剛性を有すると共に外力に対して容易には折れない靭性を有するポリプロピレン或いはＡＢＳ等のプラスチックより２部片として射出成形により製作される本発明の吊り下げ具の全体図を示し、（ａ）は背面図、（ｂ）は平面図、及び（ｃ）は正面図である。図２は図１（ｃ）の拡大断面図であり、（ａ）はＡ−Ａ側面、（ｂ）はＢ−Ｂ断面、（ｃ）はＣ−Ｃ断面、（ｄ）はＤ−Ｄ断面、（ｅ）はＥ−Ｅ断面、（ｆ）はＦ−Ｆ側面のそれぞれの拡大図である。
【００１６】
吊り下げ具は、第１基板１と第２基板２を有し、第１基板１には中央部分を除いて外縁に沿って所定間隔で一体成形された複数の第１半綴環３が起立している。第２基板２の中央部には吊り穴１１を有する吊り手１０が一体形成され上方に突出している。第２基板２には第１基板１の外縁とは反対の外縁に沿って前記所定間隔と同じ間隔で一体成型された複数の第２半綴環４が起立している。ここで重要なことは吊り手１０が第１及び第２半綴環３、４と同じ側に起立していることである。これにより本発明の作用効果が得られる。
【００１７】
第１基板１はこれら両基板を互いに組み合わせることにより前記第１半綴環３および第２半綴環４を閉鎖するようになっている。第１基板１と第２基板２は互いに組み込んだ場合に全体的にほぼ矩形断面を有し長手方向に延びている。図２のように第１半綴環３及び第２半綴環４の先端には常法に従って小孔５と小突起６がそれぞれ形成されており、互いに嵌合することにより半綴環先端の整列とカレンダー等の脱落防止を行っている。
【００１８】
第１基板１は図３に示されるように（ａ）は背面図、（ｂ）は平面図、及び（ｃ）は正面図である。図４は図３（ｃ）の拡大図であり、（ａ）はＡ−Ａ側面、（ｂ）はＢ−Ｂ断面、（ｃ）はＣ−Ｃ断面、（ｄ）はＤ−Ｄ断面、（ｅ）はＥ−Ｅ断面、（ｆ）はＦ−Ｆ側面のそれぞれの拡大図である。
【００１９】
第２基板２は図５に示されるように（ａ）は背面図、（ｂ）は平面図、及び（ｃ）は正面図である。図６は図５（ｃ）の拡大図であり、（ａ）はＡ−Ａ側面、（ｂ）はＢ−Ｂ断面、（ｃ）はＣ−Ｃ断面、（ｄ）はＤ−Ｄ断面、（ｅ）はＥ−Ｅ断面、（ｆ）はＦ−Ｆ側面のそれぞれの拡大図である。
【００２０】
図２と図４に示したように、第１基板１はその下部に水平な上面７を有する底板９を有し、図２と図６のように、第２基板２は底板９の上面に接触する下面８を有している。図４のように第１基板１はその全長に渡りほぼＬ字形断面を有し、図６のように第２基板２はその全長に渡りほぼ矩形断面を有する。この構造により、第１基板１に第２基板２を組み込む際に、上面７と下面８は互いに滑動する案内面を構成すると共に、両部材の整列及び半綴環の整列保持を行う。第１基板１の底面側には長手方向に沿った補強板１２が設けられている。
【００２１】
第１半綴環３および第２半綴環４は吊り下げ具の長手方向に対して直角な面内方向で前記第１基板１および第２基板２への取付基部で上下方向に厚く形成されている。本発明においては基板１、２が細いために、可撓性を有するので、取り付け基部を剛性にすることで基板１、２の補強とし、合わせて半綴環３、４の補強を行うものである。
【００２２】
図２〜４のように第１基板１は、吊り下げ具の長手方向に沿った所定の間隔で長手方向を横断する複数の貫通孔１３を有し、図２、図５〜６のように第２基板２は対応した貫通孔１３に嵌合する複数のピン１４を有している。これらの貫通孔１３とピン１４とは両基板を組み込む際に半綴環３、４の長手方向の精密な位置決めを行う。
【００２３】
さらに、第１基板１は、吊り下げ具の長手方向に沿った所定の間隔で外縁上面に複数の係止凹部１５を有し（図２（ｂ）、図４（ｂ））、第２基板２は半綴環３、４の閉鎖位置で凹部１５に嵌合する係止突起１６を有している（図２（ｂ）、図６（ｂ））。係止突起１６は丸みのついた先端を有する。突起１６は両基板１、２が互いに組み付けられた状態を保持するためのロック手段として役立つが、両基板を互いに図２〜３において水平方向の離脱方向に所定のレベル以上の強さで引っ張ったときに容易に外れるように定める。
【００２４】
両基板１、２を組み付ける際の初期の両基板の整列を行うための手段として、第１基板１、２の左端を互いに枢着する。枢着は軸を用いて行うことが出来るが、軸を使用しないで単に一方の端部を鈎状凹所とし、他方をそれに嵌合する鈎状突起にすることによってもよい。後者は特許文献１に記載がある。
【００２５】
図１（ｂ）、図２（ｆ）、図４（ｆ）及び図６（ｆ）に示したように、第１基板１と第２基板２の右端部２５、２６には対向する内面が切り欠き２１になっており、綴環を解放するための手段、例えば硬貨などを基板端部２５、２６の間に挿入できるようになっている。これにより、半綴環３、４を解放する際に基板１、２を相互に離間する方向に初期の開放を行うことが出来る。
【００２６】
本発明の吊り具により吊されるカレンダー２７の上端縁部は図７に示したように、吊り手１０に対応する位置に吊り手よりも大きい切除部２９を有することにより、カレンダーをめくる際に最前部のカレンダーが半綴環３から半綴環４を滑ってカレンダーの最後部へ移動できる必要がある。
【００２７】
使用にあたり、第１及び第２基板１、２の左端が互いに枢着されているものとし、開放状態になっている状態から組み立てるものとする。まず、第１半綴環３又は第２半綴環４を、一枚以上のカレンダー２７等をその綴じ穴２８に挿通し、次いで、両基板を相互の方向に接近させて第１基板１の底板９の上面７に第２基板２の下面８を載せて滑動させて両基板を図２において水平方向に接近させると、ピン１４が貫通孔１３に入る。そのまま両基板を閉鎖すると、半綴環３、４の先端同士が衝合し、さらに押圧すると係止突起１６が弾発的に凹部１５にはまる。半綴環３、４の吊り下げ具長手方向の位置決めは貫通孔１３とピン１４により、上下方向の位置決めは貫通孔１３とピン１４並びに上面７と下面８により、水平方向の位置決めは第１基板１の垂直内面２３と第２基板の垂直内面２４並びに係止凹部１５と係止突起１６により行われる。
【００２８】
この状態で吊り手１０を持ち上げ、吊り穴１１により壁面の釘に吊すと、カレンダー等は自重により第１基板１の第１半綴環３の根元によりカレンダーは保持され、両半綴環３、４の突き合わせ端は上方を向く。従ってカレンダーの重量がある程度重くて綴環の合わせ面に少々隙間が出来ても紙葉が挟まり離脱するおそれはなくなる。カレンダーをめくる場合には壁面から吊り具を外し、最前部の紙葉を手前から上に持ち上げて綴具の上方から裏面側に回す。綴じ穴２８は半綴環３、４により円滑に案内され、又切除部２９があるので吊り手１０は邪魔をせず、最前部の紙葉は最後部に周り、そして半綴環４の根元部に保持される。
【００２９】
このように本発明では、基板は非常に狭いのでカレンダー等の裏めくりが可能となる。本発明では綴環の存在しない中央部分を基板に設け、この中央部分に吊り手を一体的に設けたので、カレンダー等の重量のため綴環は下を向く傾向がでるが、吊り手は強制的に基板を下に綴環を上に位置させる作用を有する。吊り手が綴環と同じ側に存在するので、吊すた状態で綴環が上を向くためにカレンダー等は綴環の基部に支持され、紙葉の咬み込みの問題が回避される。
【図面の簡単な説明】
【００３０】
【図１】本発明の吊り下げ具の全体図を示し、（ａ）は背面図、（ｂ）は平面図、及び（ｃ）は正面図である。
【図２】図１（ｃ）の拡大断面図であり、（ａ）はＡ−Ａ側面、（ｂ）はＢ−Ｂ断面、（ｃ）はＣ−Ｃ断面、（ｄ）はＤ−Ｄ断面、（ｅ）はＥ−Ｅ断面、（ｆ）はＦ−Ｆ側面のそれぞれの拡大図である。
【図３】本発明の第１基板を示すもので、（ａ）は背面図、（ｂ）は平面図、及び（ｃ）は正面図である。
【図４】図３（ｃ）の拡大図であり、（ａ）はＡ−Ａ側面、（ｂ）はＢ−Ｂ断面、（ｃ）はＣ−Ｃ断面、（ｄ）はＤ−Ｄ断面、（ｅ）はＥ−Ｅ断面、（ｆ）はＦ−Ｆ側面のそれぞれの拡大図である。
【図５】本発明の第２基板を示すものであり、（ａ）は背面図、（ｂ）は平面図、及び（ｃ）は正面図である。
【図６】図５（ｃ）の拡大図であり、（ａ）はＡ−Ａ側面、（ｂ）はＢ−Ｂ断面、（ｃ）はＣ−Ｃ断面、（ｄ）はＤ−Ｄ断面、（ｅ）はＥ−Ｅ断面、（ｆ）はＦ−Ｆ側面のそれぞれの拡大図である。
【図７】本発明の吊り下げ具の使用状態を示す正面図である。
【図８】本発明の吊り下げ具の使用状態を示すＡ−Ａ側面図である。
【符号の説明】
【００３１】
１  第１基板
２  第２基板
３  第１半綴環
４  第２半綴環
５  小孔
６  小突起
７  第１基板の上面
８  第２基板の下面
９  第１基板の底板
１０  吊り手
１１  吊り穴
１２  補強板
１３  貫通孔
１４  ピン
１５  係止凹部
１６  係止突起
１９  鈎状位置決め突起
２０  位置決め先端
２１  切り欠き
２３、２４  垂直内面
２５、２６  基板端部
２７  カレンダー
２８  カレンダーの綴じ穴
２９  切除部
【図１】
2005238649.tif 000003
【図２】
2005238649.tif 000004
【図３】
2005238649.tif 000005
【図４】
2005238649.tif 000006
【図５】
2005238649.tif 000007
【図６】
2005238649.tif 000008
【図７】
2005238649.tif 000009
【図８】
2005238649.tif 000010